(57)【要約】      （修正有）【課題】スライドファスナのスライダーが移動して生地の縁部を容易に分離することが無い技術を提供する。【解決手段】スライドファスナ４と、凹ボタン５１の凹部５２に凸ボタン５３の凸部５４を挿入することによって留めることができるように構成されるボタン５と、一方の生地２と他方の生地３のうちいずれか一方に配置される凹ボタン配置部６と、凸ボタン配置部７と、スライドファスナ４のスライダ４１に設けられるとともに、ボタン５が留められたときにボタン５における一方の生地２の縁部と他方３の生地の縁部とを分離させるスライダ４１の移動方向の反対側を少なくとも囲むように配置されて、一方の生地２の縁部２１と他方の生地３の縁部３１とを分離させる方向にスライダ４１を移動させようとすると、凹ボタン配置部６と凸ボタン配置部７との間においてボタン５に係止される係止部材８と、を具備するスライダの移動防止構造。【選択図】図１
2013180068.tif 000002
【特許請求の範囲】
【請求項１】
スライダを移動させることにより、一方の生地の縁部と他方の生地の縁部とを連接させ、また、一方の生地の縁部と他方の生地の縁部とを分離させるように構成される、スライドファスナと、
凹ボタンの凹部に凸ボタンの凸部を挿入することによって、前記凹ボタンの凹部に前記凸ボタンの凸部が係合されて、留めることができるように構成されるボタンと、
前記ボタンの凹ボタンが配置され、前記一方の生地と前記他方の生地のうちいずれか一方に配置される凹ボタン配置部と、
前記ボタンの凸ボタンが配置され、前記一方の生地と前記他方の生地のうちいずれか他方に配置される凸ボタン配置部と、
前記スライドファスナのスライダに設けられるとともに、前記ボタンが留められたときに前記ボタンにおける前記一方の生地の縁部と前記他方の生地の縁部とを分離させる前記スライダの移動方向の反対側を内側部において少なくとも囲むように配置されて、前記一方の生地の縁部と前記他方の生地の縁部とを分離させる方向に前記スライダを移動させようとすると、前記凹ボタン配置部と前記凸ボタン配置部との間において前記留められた前記ボタンに係止されるように構成される係止部材と、
を具備する、スライドファスナにおけるスライダの移動防止構造。
【請求項２】
前記係止部材は、環状に構成される、
請求項１に記載のスライドファスナにおけるスライダの移動防止構造。
【請求項３】
前記凹ボタン配置部は、前記係止部材の内側部において前記ボタンが留められたときに、少なくとも前記係止部材の内側部を覆い隠すことができるように構成される、
請求項１または請求項２に記載のスライドファスナにおけるスライダの移動防止構造。
【請求項４】
前記凸ボタン配置部は、前記係止部材の内側部において前記ボタンが留められたときに、少なくとも前記係止部材の内側部を覆い隠すことができるように構成される、
請求項１または請求項２に記載のスライドファスナにおけるスライダの移動防止構造。
【発明の詳細な説明】
【技術分野】
【０００１】
本発明は、スライドファスナにおけるスライダの移動防止構造の技術に関する。
【背景技術】
【０００２】
従来、エレメントと、スライダと、を備えて構成される、スライドファスナの技術は公知となっている（特許文献１参照）。
前記スライドファスナは、一方の生地の縁部と他方の生地の縁部とにそれぞれ設けられるエレメントに沿ってスライダを移動させることにより、一方の生地の縁部と他方の生地の縁部とのエレメント同士を噛合せて一方の生地の縁部と他方の生地の縁部とを連接させるように構成される。また、前記スライドファスナは、スライダを移動させることにより、エレメント同士の噛合せを解除して一方の生地の縁部と他方の生地の縁部とを分離させるように構成される。
前記スライドファスナは、例えば、カバン、財布、または、被服等に用いられる、
【先行技術文献】
【特許文献】
【０００３】
【特許文献１】特開２００４−１６７５１号公報
【発明の概要】
【発明が解決しようとする課題】
【０００４】
しかしながら、一方の生地の縁部と他方の生地の縁部と連接させた状態（前記スライドファスナのエレメント同士が噛合された状態）を保持したい場合がある。換言すれば、一方の縁部と他方の縁部とを分離させたくない（前記スライドファスナのエレメント同士の噛合せを解除したくない）場合がある。例えば、前記スライドファスナが用いられる被服においては、意図せずにスライダが移動してしまうことによって一方の縁部と他方の縁部（エレメントが設けられる部分）がはだけることを、防止したい場合がある。
もっとも、前記スライドファスナでは、スライダを移動させる（スライダが移動する）だけで、一方の縁部と他方の縁部とを容易に分離することができる。
【０００５】
本発明は以上の如き状況に鑑みてなされたものであり、スライドファスナのスライダが移動して一方の縁部と他方の縁部とを容易に分離することができないようにすることができる技術を提供することを課題とする。
【課題を解決するための手段】
【０００６】
本発明の解決しようとする課題は以上の如くであり、次にこの課題を解決するための手段を説明する。
【０００７】
即ち、請求項１においては、スライダを移動させることにより、一方の生地の縁部と他方の生地の縁部とを連接させ、また、一方の生地の縁部と他方の生地の縁部とを分離させるように構成される、スライドファスナと、凹ボタンの凹部に凸ボタンの凸部を挿入することによって、前記凹ボタンの凹部に前記凸ボタンの凸部が係合されて、留めることができるように構成されるボタンと、前記ボタンの凹ボタンが配置され、前記一方の生地と前記他方の生地のうちいずれか一方に配置される凹ボタン配置部と、前記ボタンの凸ボタンが配置され、前記一方の生地と前記他方の生地のうちいずれか他方に配置される凸ボタン配置部と、前記スライドファスナのスライダに設けられるとともに、前記ボタンが留められたときに前記ボタンにおける前記一方の生地の縁部と前記他方の生地の縁部とを分離させる前記スライダの移動方向の反対側を少なくとも囲むように配置されて、前記一方の生地の縁部と前記他方の生地の縁部とを分離させる方向に前記スライダを移動させようとすると、前記凹ボタン配置部と前記凸ボタン配置部との間において前記留められた前記ボタンに係止されるように構成される係止部材と、を具備する、スライドファスナにおけるスライダの移動防止構造としたものである。
【０００８】
請求項２においては、前記係止部材は、環状に構成されるものである。
【０００９】
請求項３においては、前記凹ボタン配置部は、前記係止部材の内側部において前記ボタンが留められたときに、少なくとも前記係止部材の内側部を覆い隠すことができるように構成されるものである。
【００１０】
請求項４においては、前記凸ボタン配置部は、前記係止部材の内側部において前記ボタンが留められたときに、少なくとも前記係止部材の内側部を覆い隠すことができるように構成されるものである。
【発明の効果】
【００１１】
本発明の効果として、以下に示すような効果を奏する。
【００１２】
即ち、本発明によれば、スライドファスナのスライダが移動して一方の縁部と他方の縁部とを容易に分離することができないようにすることができる。
【図面の簡単な説明】
【００１３】
【図１】本発明の第一実施形態に係るスライドファスナにおけるスライダの移動防止構造の全体的な構成を示した正面図。
【図２】同じくスライドファスナにおけるスライダの移動防止構造の全体的な構成を示した平面図。
【図３】同じくスライドファスナにおけるスライダの移動防止構造の全体的な構成を示した左側面図。
【図４】同じくスライドファスナにおけるスライダの移動防止構造におけるボタンが留められた状態を示した正面図。
【図５】同じくスライドファスナにおけるスライダの移動防止構造を介護用パジャマに用いた例を示す正面図。
【図６】同じくスライドファスナにおけるスライダの移動防止構造の別実施例を示した正面図。
【図７】同じくスライドファスナにおけるスライダの移動防止構造の別実施例を示した正面図。
【図８】同じくスライドファスナにおけるスライダの移動防止構造の別実施例を示した正面図。
【図９】同じくスライドファスナにおけるスライダの移動防止構造の別実施例を示した正面図。
【図１０】本発明の第二実施形態に係るスライドファスナにおけるスライダの移動防止構造の全体的な構成を示した正面図。
【図１１】同じくスライドファスナにおけるスライダの移動防止構造におけるボタンが留められた状態を示した正面図。
【図１２】本発明の第三実施形態に係るスライドファスナにおけるスライダの移動防止構造の全体的な構成を示した正面図。
【図１３】同じくスライドファスナにおけるスライダの移動防止構造の全体的な構成を示した平面図。
【図１４】同じくスライドファスナにおけるスライダの移動防止構造の全体的な構成を示した左側面図。
【図１５】同じくスライドファスナにおけるスライダの移動防止構造におけるボタンが留められた状態を示した正面図。
【図１６】同じくスライドファスナにおけるスライダの移動防止構造を介護用パジャマに用いた例を示す正面図。
【図１７】本発明の第四実施形態に係るスライドファスナにおけるスライダの移動防止構造の全体的な構成を示した正面図。
【図１８】同じくスライドファスナにおけるスライダの移動防止構造におけるボタンが留められた状態を示した正面図。
【発明を実施するための形態】
【００１４】
次に、本発明の第一実施形態に係るスライドファスナ４におけるスライダ４１の移動防止構造（以下、「移動防止構造」という）１について、図１から図９を用いて説明する。
【００１５】
移動防止構造１は、スライドファスナ４のスライダ４１が移動することを防止するものである。
移動防止構造１は、一般的なスライドファスナ４が用いられるもの、例えば、カバン、財布、または、被服等に用いられるものである。
移動防止構造１は、図１乃至図４に示すように、スライドファスナ４と、ボタン５と、凹ボタン配置部６と、凸ボタン配置部７と、係止部材８と、を具備する。
【００１６】
移動防止構造１のスライドファスナ４は、エレメントと、スライダ４１と、を備えて構成される。
【００１７】
移動防止構造１におけるスライドファスナ４のエレメントは、帯状の基材に並べて配置される。
スライドファスナ４のエレメントは、前記帯状の基材を介して、一方の生地２の縁部２１または他方の生地３の縁部３１に沿うように、一方の生地２の縁部２１と他方の生地３の縁部３１とにそれぞれ設けられる。
スライドファスナ４のエレメントは、一方の生地２の縁部２１と他方の生地３の縁部３１とにそれぞれ配置されて、対向するように配置される。
【００１８】
移動防止構造１におけるスライドファスナ４のスライダ４１は、一方の生地２の縁部２１（一方の生地２の縁部２１に設けられるエレメント）と、他方の生地３の縁部３１（他方の生地３の縁部３１に設けられるエレメント）と、に沿って移動可能に構成される。
【００１９】
移動防止構造１のスライドファスナ４は、スライダ４１を移動させることにより、一方の生地２の縁部２１と他方の生地３の縁部３１とを連接させ、また、一方の生地２の縁部２１と他方の生地３の縁部３１とを分離させるように構成される。
スライドファスナ４は、一方の生地２の縁部２１と他方の生地３の縁部３１とにそれぞれ設けられるエレメントに沿ってスライダ４１を移動させることにより、一方の生地２の縁部２１と他方の生地３の縁部３１とにそれぞれ設けられるエレメント同士を噛合せて一方の生地２の縁部２１と他方の生地３の縁部３１とを連接させるように構成される。
また、スライドファスナ４は、一方の生地２の縁部２１と他方の生地３の縁部３１とにそれぞれ設けられるエレメントに沿ってスライダ４１を移動させることにより、前記エレメント同士の噛合せを解除して一方の生地２の縁部２１と他方の生地３の縁部３１とを分離させるように構成される。
【００２０】
移動防止構造１のボタン５は、所謂、スナップボタン、または、ドットボタン等であり、凹ボタン５１と、凸ボタン５３と、を備えて構成される。
ボタン５は、凹ボタン５１の凹部５２に凸ボタン５３の凸部５４を挿入することによって、凹ボタン５１の凹部５２に凸ボタン５３の凸部５４が係合されて、留めることができるように構成される。
また、ボタン５は、凹ボタン５１の凹部５２に挿入されている凸ボタン５３の凸部５４を引抜くことによって、留められている状態を解除することができるように構成される。
【００２１】
移動防止構造１におけるボタン５の凹ボタン５１は、凹ボタン配置部６に設けられる。
ボタン５の凸ボタン５３は、凸ボタン配置部７に設けられる。
ボタン５の凹ボタン５１と凸ボタン５３とは、一方の生地２の縁部２１および他方の生地３の縁部３１を挟んで対向するように配置される。
【００２２】
移動防止構造１の凹ボタン配置部６は、正面視略長方形に形成される生地で構成される。
凹ボタン配置部６は、凹ボタン配置部６の内側の面に凹部５２が位置するようにボタン５の凹ボタン５１が配置されて構成される。
凹ボタン配置部６は、一方の生地２と他方の生地３のうちいずれか一方に配置される。本実施形態では、凹ボタン配置部６は、一方の生地２に配置される。凹ボタン配置部６は、スライドファスナ４のスライダ４１を移動させて一方の生地２の縁部２１と他方の生地３の縁部３１とを連接させたときに、一方の生地２におけるスライドファスナ４のスライダ４１の移動方向の両端部のうちのスライダ４１が位置する側の端部に配置される。
凹ボタン配置部６は、その長手方向の一端部が一方の生地２の外側の面に取付けられて、一方の生地２に固定される。
凹ボタン配置部６は、一方の生地２の縁部２１と他方の生地３の縁部３１とを連接させたときに、その長手方向の他端（一方の生地２に取付けられる側と反対側）が、他方の生地３に至るように構成される。
【００２３】
移動防止構造１の凸ボタン配置部７は、正面視略長方形に形成される生地で構成される。
凸ボタン配置部７は、凸ボタン配置部７の内側の面に凸部５４が位置するようにボタン５の凸ボタン５３が配置されて構成される。
凸ボタン配置部７は、一方の生地２と他方の生地３のうちいずれか他方に配置される。本実施形態では、凸ボタン配置部７は、他方の生地３に配置される。凸ボタン配置部７は、スライドファスナ４のスライダ４１を移動させて一方の生地２の縁部２１と他方の生地３の縁部３１とを連接させたときに、他方の生地３におけるスライドファスナ４のスライダ４１の移動方向の両端部のうちのスライダ４１が位置する側の端部に配置される。
凸ボタン配置部７は、その長手方向の一端部が他方の生地３の外側の面に取付けられて、他方の生地３に固定される。
凸ボタン配置部７は、一方の生地２の縁部２１と他方の生地３の縁部３１とを連接させたときに、その長手方向の他端（他方の生地３に取付けられる側と反対側）が、一方の生地２に至るように構成される。
【００２４】
移動防止構造１の係止部材８は、スライドファスナ４のスライダ４１に上下回動可能に設けられる。
係止部材８は、環状に構成される。係止部材８は、円環状に構成される。係止部材８は、正面視において、その環状（円環状）に構成される内側の部分である内側部８１の径がボタン５の外径よりも大きく構成される。
【００２５】
移動防止構造１の係止部材８は、スライドファスナ４のスライダ４１を移動させて一方の生地２の縁部２１と他方の生地３の縁部３１とを連接させて、係止部材８の内側部８１においてボタン５が留められたときに、凹ボタン配置部６と凸ボタン配置部７との間に配置されるように構成される。
係止部材８は、スライドファスナ４のスライダ４１を移動させて一方の生地２の縁部２１と他方の生地３の縁部３１とを連接させてボタン５が留められたときに、正面視においてボタン５の周囲を内側部８１において囲むように配置されるように構成される。
【００２６】
移動防止構造１の係止部材８は、ボタン５が留められたときに、正面視において、留められたボタン５における一方の生地２の縁部２１と他方の生地３の縁部３１とを分離させるスライドファスナ４のスライダ４１の移動方向の反対側、を内側部８１において少なくとも囲むように配置されるものである。
係止部材８は、内側部８１においてボタン５が留められて、一方の生地２の縁部２１と他方の生地３の縁部３１とを分離させる方向にスライドファスナ４のスライダ４１を移動させようとすると、止められたボタン５が内側部８１に引っ掛り、凹ボタン配置部６と凸ボタン配置部７との間において留められたボタン５に係止されるように構成される。
【００２７】
このように、移動防止構造１では、係止部材８が留められたボタン５における一方の生地２の縁部２１と他方の生地３の縁部３１とを分離させる方向の反対側を少なくとも囲むように構成されて、一方の生地２の縁部２１と他方の生地３の縁部３１とを分離させる方向にスライドファスナ４のスライダ４１を移動させようとすると、係止部材８が凹ボタン配置部６と凸ボタン配置部７との間において留められたボタン５に係止される。
そして、移動防止構造１では、ボタン５が留められている状態を解除しないとスライドファスナ４のスライダ４１を移動させることができない。
したがって、移動防止構造１によれば、スライドファスナ４のスライダ４１が移動して一方の縁部と他方の縁部とを容易に分離することができないようにすることができる。
【００２８】
移動防止構造１では、留められたボタン５に係止部材８が係止されている状態では、単に凹ボタン配置部６と凸ボタン配置部７との間に係止部材８が配置されているだけである。
そして、移動防止構造１では、ボタン５が留められている状態を解除するだけで、留められたボタン５に係止部材８が係止されている状態を解消することができる。
したがって、移動防止構造１によれば、留められたボタン５に係止部材８が係止されている状態を容易に解消することができる。
【００２９】
移動防止構造１の係止部材８は、環状に構成される。
このため、移動防止構造１では、スライドファスナ４のスライダ４１を移動させたときに、留められたボタン５に係止される係止部材８が当該ボタン５から抜け落ちることを防止することができる。
したがって、移動防止構造１によれば、より確実に、スライドファスナ４のスライダ４１が移動して一方の縁部と他方の縁部とを容易に分離することができないようにすることができる。
【００３０】
また、移動防止構造１の係止部材８は、例えば、内経が２０ｍｍから３０ｍｍの大きさに構成されて、その内側部８１が大人の指の幅よりも大きく形成される。
このため、移動防止構造１の係止部材８は、係止部材８の内側部８１に指を引っ掛け易く構成される。
したがって、移動防止構造１では、係止部材８の内側部８１に指を引っ掛けてスライドファスナ４のスライダ４１を移動させるときの引き手として係止部材８を用いることができ、スライドファスナ４のスライダ４１を移動させる動作を容易に行うことができる。
【００３１】
また、移動防止構造１の凹ボタン配置部６は、平面視において、その長手方向の長さが係止部材８の内側部８１よも長く形成される。
凹ボタン配置部６は、平面視において、その短手方向の長さ（幅）が係止部材８の内側部８１よも長く（大きく）形成される。
凹ボタン配置部６は、係止部材８の内側部８１においてボタン５が留められたときに、少なくとも係止部材８の内側部８１を、係止部材８の外側（一方の生地２および他方の生地３と反対側）から覆い隠すことができるような大きさに構成される。
【００３２】
このように、移動防止構造１では、係止部材８の内側部８１においてボタン５が留められたときに、凹ボタン配置部６によって少なくとも係止部材８の内側部８１が覆い隠されるため、凹ボタン配置部６が妨げになって、係止部材８の内側部８１に異物が入り込むことを抑制することができる。
したがって、移動防止構造１によれば、係止部材８の内側部８１に異物が入り込んで当該異物が係止部材８の内側部８１に引っ掛り、スライドファスナ４のスライダ４１が意図せずに移動して一方の縁部と他方の縁部とが分離することを抑制することができる。
【００３３】
また、移動防止構造１の凹ボタン配置部６は、係止部材８の内側部８１においてボタン５が留められたときに、係止部材８の外側を覆い隠すことができるような大きさに構成される。
【００３４】
このように、移動防止構造１では、係止部材８の内側部８１においてボタン５が留められたときに、凹ボタン配置部６によって係止部材８の外側が覆い隠されるため、凹ボタン配置部６が妨げになって、係止部材８の内側部８１に異物が入り込むことをより確実に抑制することができる。
したがって、移動防止構造１によれば、係止部材８の内側部８１に異物が入り込んで当該異物が係止部材８の内側部８１に引っ掛り、スライドファスナ４のスライダ４１が意図せずに移動して一方の縁部と他方の縁部とが分離することを抑制することができる。
【００３５】
また、移動防止構造１のボタン５は、凹ボタン５１の凹部５２に凸ボタン５３の凸部５４を挿入したときに、凹ボタン５１の凹部５２に凸ボタン５３の凸部５４が係合された状態で、凹ボタン５１と凸ボタン５３とをロック（固定）可能に構成される。
例えば、ボタン５は、凹ボタン５１の凹部５２に凸ボタン５３の凸部５４を挿入したときに、凸ボタン５３の凸部５４の外面に形成される係合溝（不図示）と、凹ボタン５１の凹部５２に設けられる係合突起（不図示）が係合することによって、凹ボタン５１と凸ボタン５３とをロックされるように構成される。
そして、ボタン５は、凹ボタン５１の外側中央部を凸ボタン５３側に押込むことによって、凹ボタン５１の凹部５２の係合突起を外側に広げて、凸ボタン５３の凸部５４の係合溝と凹ボタン５１の凹部５２の係合突起との係合状態を解除し、凹ボタン５１と凸ボタン５３とがロックされている状態を解除するように構成される。
【００３６】
このように構成される移動防止構造１では、ボタン５の凹ボタン５１と凸ボタン５３とがロックされている状態を解除しなければ、ボタン５が留められている状態を解除することができない。
したがって、移動防止構造１によれば、ボタン５の凹ボタン５１と凸ボタン５３とがロック可能に構成されないものとくらべてボタン５が留められている状態を容易に解除することができず、ひいては、スライドファスナ４のスライダ４１が移動して一方の縁部と他方の縁部とを容易に分離することができないようにすることができる。
【００３７】
例えば、移動防止構造１がカバンに用いられた場合には、スライドファスナ４のスライダ４１を移動して一方の縁部と他方の縁部とを分離することが容易にできないため、移動防止構造１がカバンのスリ防止機能となる。
また、移動防止構造１がカバンに用いられた場合には、スライドファスナ４のスライダ４１を移動して一方の縁部と他方の縁部とを分離することが容易にできないため、スライドファスナ４のスライダ４１が意図せずに（例えば、異物に引っ掛って）移動して一方の縁部と他方の縁部とが分離してカバン内から荷物がもれ出すことを防止することができる。
【００３８】
また例えば、移動防止構造１が介護用のパジャマ（介護用のパジャマの襟首部）に用いられた場合（図５参照）には、介護用パジャマの着用者が、スライドファスナ４のスライダ４１を移動させて一方の縁部と他方の縁部とを分離させ、介護用パジャマがはだけること、または、介護用パジャマが脱げてしまうこと、防止することができる。
【００３９】
なお、移動防止構造１は、一方の生地２と他方の生地３とが一体的に構成されてもよい。
また、移動防止構造１の係止部材８は、多角形環状に構成することもできる（図６または図７参照）。
また、移動防止構造１の係止部材８は、正面視Ｊ字状または正面視Ｃ字状のように一部が開口して構成することもできる（図８または図９参照）。
【００４０】
次に、本発明の第二実施形態に係る移動防止構造１について、図１０および図１１を用いて説明する。
なお、第二実施形態に係る移動防止構造１の説明は、第一実施形態に係る移動防止構造１の構成と同様の部分については適宜省略し、第一実施形態に係る移動防止構造１の構成と異なる部分を中心に説明する。
【００４１】
移動防止構造１は、図１０または図１１に示すように、スライドファスナ４と、ボタン５と、凹ボタン配置部６と、凸ボタン配置部７と、係止部材８と、を具備する。
【００４２】
移動防止構造１の凹ボタン配置部６は、凹部５２がその外側の面に位置するようにボタン５の凹ボタン５１が配置されて構成される。
凹ボタン配置部６は、一方の生地２と他方の生地３のうちいずれか一方に配置される。本実施形態では、凹ボタン配置部６は、他方の生地３に配置される。
凹ボタン配置部６は、その長手方向の一端部が他方の生地３の外側の面に取付けられて、他方の生地３に固定される。
凹ボタン配置部６は、一方の生地２の縁部２１と他方の生地３の縁部３１とを連接させたときに、その長手方向の他端（他方の生地３に取付けられる側と反対側）が、一方の生地２に至るように構成される。
【００４３】
移動防止構造１の凸ボタン配置部７は、凸部５４がその内側の面に位置するようにボタン５の凸ボタン５３が配置されて構成される。
凸ボタン配置部７は、一方の生地２と他方の生地３のうちいずれか他方に配置される。本実施形態では、凸ボタン配置部７は、一方の生地２に配置される。
凸ボタン配置部７は、その長手方向の一端部が一方の生地２の外側の面に取付けられて、他方の生地３に固定される。
凸ボタン配置部７は、一方の生地２の縁部２１と他方の生地３の縁部３１とを連接させたときに、その長手方向の他端（一方の生地２に取付けられる側と反対側）が、他方の生地３に至るように構成される。
【００４４】
また、移動防止構造１の凸ボタン配置部７は、平面視において、その長手方向の長さが係止部材８の内側部８１よも長く形成される。
凸ボタン配置部７は、平面視において、その短手方向の長さ（幅）が係止部材８の内側部８１よも長く（大きく）形成される。
凸ボタン配置部７は、係止部材８の内側部８１においてボタン５が留められたときに、少なくとも係止部材８の内側部８１を、係止部材８の外側（一方の生地２および他方の生地３と反対側）から覆い隠すことができるような大きさに構成される。
【００４５】
このように、移動防止構造１では、係止部材８の内側部８１においてボタン５が留められたときに、凸ボタン配置部７によって少なくとも係止部材８の内側部８１が覆い隠されるため、凸ボタン配置部７が妨げになって、係止部材８の内側部８１に異物が入り込むことを抑制することができる。
したがって、移動防止構造１によれば、係止部材８の内側部８１に異物が入り込んで当該異物が係止部材８の内側部８１に引っ掛り、スライドファスナ４のスライダ４１が意図せずに移動して一方の縁部と他方の縁部とが分離することを抑制することができる。
【００４６】
また、移動防止構造１の凸ボタン配置部７は、係止部材８の内側部８１においてボタン５が留められたときに、係止部材８の外側を覆い隠すことができるような大きさに構成される。
【００４７】
このように、移動防止構造１では、係止部材８の内側部８１においてボタン５が留められたときに、凸ボタン配置部７によって係止部材８の外側が覆い隠されるため、凸ボタン配置部７が妨げになって、係止部材８の内側部８１に異物が入り込むことをより確実に抑制することができる。
したがって、移動防止構造１によれば、係止部材８の内側部８１に異物が入り込んで当該異物が係止部材８の内側部８１に引っ掛り、スライドファスナ４のスライダ４１が意図せずに移動して一方の縁部と他方の縁部とが分離することを抑制することができる。
【００４８】
次に、本発明の第三実施形態に係る移動防止構造１について、図１２から図１６を用いて説明する。
なお、第三実施形態に係る移動防止構造１の説明は、第一実施形態または第二実施形態に係る移動防止構造１の構成と同様の部分については適宜省略し、第一実施形態または第二実施形態に係る移動防止構造１の構成と異なる部分を中心に説明する。
【００４９】
移動防止構造１は、図１２乃至図１５に示すようにスライドファスナ４と、ボタン５と、凹ボタン配置部６と、凸ボタン配置部７と、係止部材８と、を具備する。
【００５０】
本実施形態では、移動防止構造１の凹ボタン配置部６は、一方の生地２における外側の面で構成される。
移動防止構造１の一方の生地２は、その縁部から他方の生地３側に突出する突出部２１を備えて構成される。一方の生地２の突出部２１は、一方の生地２の縁部２１と他方の生地３の縁部３１とを連接させたときに、他方の生地３に至るように構成される。
移動防止構造１のボタン５の凹ボタン５１は、一方の生地２における内側の面に凹部５２が位置するように配置される。ボタン５の凹ボタン５１は、一方の生地２の突出部２１に配置される。
【００５１】
本実施形態では、移動防止構造１の凸ボタン配置部７は、他方の生地３における外側の面で構成される。
移動防止構造１の他方の生地３は、その縁部から一方の生地２側に突出する突出部３１を備えて構成される。他方の生地３の突出部３１は、一方の生地２の縁部２１と他方の生地３の縁部３１とを連接させたときに、一方の生地２に至るように構成される。
移動防止構造１の凸ボタン５３は、他方の生地３における外側の面に凸部５４が位置するように配置される。凸ボタン５３は、他方の生地３の突出部３１に配置される。
【００５２】
例えば、移動防止構造１が介護用のパジャマ（介護用のパジャマの裾部）に用いられた場合（図１６参照）には、介護用パジャマの着用者が、スライドファスナ４のスライダ４１を移動させて一方の縁部と他方の縁部とを分離させ、介護用パジャマがはだけること、または、または、介護用パジャマが脱げてしまうこと、防止することができる。
【００５３】
次に、本発明の第四実施形態に係る移動防止構造１について、図１７および図１８を用いて説明する。
なお、第四実施形態に係る移動防止構造１の説明は、第一実施形態乃至第三実施形態に係る移動防止構造１の構成と同様の部分については適宜省略し、第一実施形態乃至第三実施形態に係る移動防止構造１の構成と異なる部分を中心に説明する。
【００５４】
移動防止構造１は、図１７または図１８に示すように、スライドファスナ４と、ボタン５と、凹ボタン配置部６と、凸ボタン配置部７と、係止部材８と、を具備する。
【００５５】
本実施形態では、移動防止構造１の凹ボタン配置部６は、一方の生地２における外側の面で構成される。
移動防止構造１のボタン５の凹ボタン５１は、他方の生地３における外側の面に凹部５２が位置するように配置される。ボタン５の凹ボタン５１は、他方の生地３の突出部３１に配置される。
【００５６】
本実施形態では、移動防止構造１の凸ボタン配置部７は、一方の生地２における外側の面で構成される。
移動防止構造１のボタン５の凸ボタン５３は、一方の生地２における内側の面に凸部５４が位置するように配置される。ボタン５の凸ボタン５３は、一方の生地２の突出部２１に配置される。
【符号の説明】
【００５７】
１    移動防止構造
２    一方の生地
３    他方の生地
４    スライドファスナ
５    ボタン
６    凹ボタン配置部
７    凸ボタン配置部
８    係止部材
２１  縁部
３１  縁部
４１  スライダ
５１  凹ボタン
５２  凹部
５３  凸ボタン
５４  凸部
８１  内側部
【図１】
2013180068.tif 000003
【図２】
2013180068.tif 000004
【図３】
2013180068.tif 000005
【図４】
2013180068.tif 000006
【図５】
2013180068.tif 000007
【図６】
2013180068.tif 000008
【図７】
2013180068.tif 000009
【図８】
2013180068.tif 000010
【図９】
2013180068.tif 000011
【図１０】
2013180068.tif 000012
【図１１】
2013180068.tif 000013
【図１２】
2013180068.tif 000014
【図１３】
2013180068.tif 000015
【図１４】
2013180068.tif 000016
【図１５】
2013180068.tif 000017
【図１６】
2013180068.tif 000018
【図１７】
2013180068.tif 000019
【図１８】
2013180068.tif 000020